(57)【要約】【課題】患部に薬剤を塗布するときに使用する薬剤塗布容器において、容器本体口部を閉塞する中栓部の上部表面に複数の突起と液孔を具備し、さらに、中栓部及び突起、液孔を被覆する塗布部を有する薬剤塗布容器であって、患部に薬剤を塗布するとともに患部を傷つけることなく、衛生的にそして効果的に掻くことのできる薬剤塗布容器を提供することである。【解決手段】患部に薬剤を塗布するときに使用する薬剤塗布容器において、塗布液３を収容しその上部に開口部７を備えた容器本体２と、この容器本体２の開口部７を閉塞させる中栓部１０と、この中栓部１０の上部表面に具備される複数の突起５，６と、中栓部１０の上部表面に設けられた少なくとも一の液孔９と、中栓部１０を被覆する塗布部４ａと、この塗布部４ａを覆い容器本体２の頸部８に取着される蓋部材１とを有する。【選択図】　図１
2004075165.tif 000002
【特許請求の範囲】
【請求項１】
患部に薬剤を塗布するときに使用する薬剤塗布容器において、塗布液を収容しその上部に開口部を備えた容器本体と、この容器本体の開口部を閉塞させる中栓部と、この中栓部の上部表面に具備される複数の突起と、前記中栓部の上部表面に設けられた少なくとも一の液孔と、前記中栓部を被覆する塗布部と、この塗布部を覆い前記容器本体の頸部に取着される蓋部材とを有することを特徴とする薬剤塗布容器。
【請求項２】
患部に薬剤を塗布するときに使用する薬剤塗布容器において、塗布液を収容しその上部に開口部を備えた容器本体と、この容器本体の開口部を閉塞させる中栓部と、この中栓部の上表面に上下動可能に平上面を備えて設けられる第一の突起と、この第一の突起の下部に着設された弾性部と、前記中栓部の上表面に前記第一の突起よりも低く具備される複数の第二の突起と、前記中栓部の上表面に設けられた少なくとも一の液孔と、前記中栓部を被覆する塗布部と、この塗布部を覆い前記容器本体の頸部に取着される蓋部材とを有することを特徴とする薬剤塗布容器。
【請求項３】
前記塗布部は、前記中栓部の上表面に具備される突起の形状と略同一の突起形状を備え密着して被覆することを特徴とする請求項１又は請求項２記載の薬剤塗布容器。
【発明の詳細な説明】
【０００１】
【発明の属する技術分野】
本発明は、患部に薬剤を塗布するときに使用する薬剤塗布容器に関する。
【０００２】
【従来の技術】
一般に、蚊等の虫に刺された場合には患部にかゆみ止めの薬剤を塗布する。また、塗布する薬剤の種類としては液状タイプ、軟膏状タイプ、ゼリー状タイプ、スプレータイプ、貼り薬タイプ等があり、中でも塗布時に手に付着しない液状タイプやスプレータイプ、貼り薬タイプが好まれている。さらに、薬剤にメントール類を添加することによって患部のはれやあかみ、かゆみを和らげる効果をもたせている。
このような薬剤を利用する場合、薬剤の塗布によってすぐに患部のかゆみが治まることもあるが、塗布前あるいは塗布中、塗布後に患部にかゆみを生じることもあり、その場合、意識的あるいは無意識的に患部を指や爪で掻いてしまうことがよくある。
しかしながら、汚れた指や爪で患部を掻くと、指や爪中の汚れが刺激を誘発してしまう。さらには、患部の掻き過ぎによって掻き傷から雑菌が入り、患部が炎症を起こしたり、化膿したり、感染を起こしてとびひになりやすくなるという悪影響が生じるとともに、患部を掻いた指に付着した薬剤が他へ二次的に付着するという不都合も生じる。
【０００３】このような課題に対処するため、いくつかの発明及び考案が開示されている。
例えば、特開平９−２０１４１９号公報（以下、イ号公報という。）には、「掻き具付き塗布容器」という名称で液状の薬液を収容した塗布容器の胴体頸部の外側に筒状の掻き具を出没自在に装備させた発明が開示されている。
以下、図５を参照しながら、イ号公報に開示された技術についてイ号公報を引用しながら説明する。
【０００４】図５において、符号１６は容器本体であり、この中には液状の薬剤が収容されている。また、容器本体１６の口部１８には容器本体１６内の液状薬剤を滲出させるスポンジ１７が装着され、このスポンジ１７部分を患部にあてて液状薬剤を患部に塗布することができる。符号２０は掻き爪１９を具備し基端外周にローレット２１を有する円筒状の掻き具であり、容器本体１６上部に出没自在に螺装されている。このため、患部にかゆみを生じた際には、直接、患部を指あるいは爪で掻くことなく、掻き具２０を螺出させて患部を掻くことができる。さらに、符号２２は頸部であり、螺条が周設されている。このため、液状薬剤を患部に塗布しない場合にはキャップ１５を容器本体１６に螺合させ、液状薬剤の外部への流出を防ぐことができる。
【０００５】また、特開平９−１９２２３６号公報（以下、ロ号公報という。）には、「掻き具付き塗布容器」という名称で液状の薬液を収容した塗布容器のキャップの周壁の下端全般に掻き爪を周設した発明が開示されている。
ロ号公報では、イ号公報とは異なり、液状の薬液を収容した塗布容器のキャップの周壁の下端全般に掻き爪を周設したものであり、患部にかゆみを生じた際にこの掻き爪で患部を掻きかゆみを和らげることができる。また、容器本体には係止凹溝が周設されており、キャップを容器本体に被着させた際にこの係止凹溝に掻き爪が収まるようになっているため、液状薬剤を患部に塗布しない場合にはキャップの被覆によって液状薬剤の外部への流出を防止するとともに、掻き具による引っ掛かりや怪我を防ぐことができる。
【０００６】さらに、特開平９−２０１４１８号公報（以下、ハ号公報という。）には、「掻き具付き塗布容器」という名称で液状の薬液を収容した塗布容器のキャップの周壁の下端全般に掻き爪を周設した発明が開示されている。
ハ号公報では、ロ号公報と同様に、液状の薬液を収容した塗布容器のキャップの周壁の下端全般に掻き爪を周設したものであり、患部にかゆみを生じた際にこの掻き爪で患部を掻きかゆみを和らげることができる。また、この掻き爪は螺動出入によってキャップ内部に収納することができるため、液状薬剤を患部に塗布しない場合にはキャップの被覆によって液状薬剤の外部への流出を防止するとともに、掻き具をキャップ内部に収納し、掻き具による引っ掛かりや怪我を防ぐことができる。
【０００７】
【発明が解決しようとする課題】
しかしながら、上述の従来の技術においては、例えばイ号公報に開示された発明においては、塗布容器の胴体頸部の外側に出没自在な筒状の掻き具を装備させることによって、かゆみの生じた患部乃至その周辺を容易に掻くことができるとともに掻き具を衛生的に管理することができるものの、掻き爪のみで患部を掻くとによってさらなるかゆみを誘発するということが考えられるとともに、掻き爪が直接患部に触れることによって患部を傷つけるという可能性も捨てきれない。また、患部を掻く際に、掻き具を螺出させなければならないという手間も生じる。
【０００８】また、ロ号公報及びハ号公報に開示された発明においても、イ号公報と同様に、塗布容器のキャップの外側あるいは内側に出没自在な筒状の掻き具を装備させることによって、かゆみの生じた患部乃至その周辺を容易に掻くことができるとともに掻き具を衛生的に管理することができるものの、掻き爪のみで患部を掻くとによってさらなるかゆみを誘発するということが考えられる。さらに、掻き爪が直接患部に触れることによって患部を傷つけるということも考えられる。
【０００９】本発明はかかる従来の事情に対処してなされたものであり、患部に薬剤を塗布するときに使用する薬剤塗布容器において、容器本体口部を閉塞する中栓部の上部表面に複数の突起と液孔を具備し、さらに、中栓部及び突起、液孔を被覆する塗布部を有する薬剤塗布容器であって、患部に薬剤を塗布しながら患部を傷つけることなく、衛生的にそして効果的に掻くことのできる薬剤塗布容器を提供することを目的とする。
【００１０】
【課題を解決するための手段】
上記目的を達成するため、請求項１記載の発明である薬剤塗布容器は、患部に薬剤を塗布するときに使用する薬剤塗布容器において、塗布液を収容しその上部に開口部を備えた容器本体と、この容器本体の開口部を閉塞させる中栓部と、この中栓部の上部表面に具備される複数の突起と、中栓部の上部表面に設けられた少なくとも一の液孔と、中栓部を被覆する塗布部と、この塗布部を覆い容器本体の頸部に取着される蓋部材とを有するものである。
【００１１】上記構成の薬剤塗布容器においては、患部にかゆみが生じた際に塗布部によって患部に薬剤を塗布しながら中栓に設けられた複数の突起で患部を掻くことができるという作用を有する。また、複数の突起は塗布部で被覆されているので、患部への衝撃を和らげる作用を有している。
【００１２】また、請求項２に記載の発明である薬剤塗布容器は、患部に薬剤を塗布するときに使用する薬剤塗布容器において、塗布液を収容しその上部に開口部を備えた容器本体と、この容器本体の開口部を閉塞させる中栓部と、この中栓部の上表面に上下動可能に平上面を備えて設けられる第一の突起と、この第一の突起の下部に着設された弾性部と、中栓部の上表面に第一の突起よりも低く具備される複数の第二の突起と、中栓部の上表面に設けられた少なくとも一の液孔と、中栓部を被覆する塗布部と、この塗布部を覆い容器本体の頸部に取着される蓋部材とを有するものである。
【００１３】上記構成の薬剤塗布容器においては、患部を掻かずに薬剤の塗布のみを行う場合には、中栓部の第一の突起を患部に当てて薬剤を塗布し、患部にかゆみが生じ患部を掻く場合には、第一の突起を弾性部を介して押し下げて患部に薬剤を塗布しながら、第二の突起が患部に当接されるようにして第一の突起と第二の突起で患部を掻くことができるという作用を有する。本発明においても、第一及び第二の突起は塗布部で被覆されているため、患部への衝撃を和らげる作用を有している。
【００１４】最後に、請求項３記載の発明である薬剤塗布容器は、塗布部が中栓部の上表面に具備される突起の形状と略同一の突起形状を備え密着して被覆するものである。
【００１５】上記構成の薬剤塗布容器においては、請求項１又は請求項２に記載の発明の作用に加えて、塗布部を中栓部の上表面に具備される突起に密着させることによって、塗布部による被覆がない場合よりも柔らかでありながら、塗布部が突起に密着していない場合よりも剛性が高いので、突起によって患部に心地よい刺激を与えマッサージ効果を高めるという作用を有する。
【００１６】
【発明の実施の形態】
以下に、本発明に係る薬剤塗布容器の実施の形態を図１乃至図４に基づき説明する。（請求項１乃至請求項３に対応）
図１は本発明の第１の実施の形態に係る実施例１の薬剤塗布容器の概念図である（特に、請求項３に対応）。
【００１７】図１において、符号２は容器本体であり、薬液３が収容されている。また、容器本体２上部の口部７は中栓１０によって閉塞されており、この中栓１０の上部表面には突起５，６と液孔９が設けられ、突起５，６に密着し中栓１０を覆うようにスポンジ４ａが被覆している。さらに、容器本体２の頸部８には螺条が周設されており、キャップ１が取着できるようになっている。なお、突起６はやや太めで上部表面が平らになっている。
上記記載の頸部８は図１に示されるように螺条が周設されるものとして本実施の形態には示したが、キャップ１を抜脱できる構造でもよい。
【００１８】図２（ａ）は本発明の第１の実施の形態に係る実施例１の薬剤塗布容器の中栓部の上面の平面図であり、図２（ｂ）は本発明の第１の実施の形態に係る実施例１の薬剤塗布容器の塗布部分の垂直縦断面図である。図２（ａ）及び（ｂ）において、図１に示された部分と同一部分については同一符号を付し、その構成についての説明は省略する。
【００１９】図２（ａ）は、図１の中栓部を上側から見たときの平面図であり、塗布部が被覆されていない場合を示している。突起６は中栓部の中心部にあり、突起５は突起６を中心として放射線状に均等に配列されている。また、液孔９は突起６を囲うように設けられており、突起６の上下動により液孔９から薬液が滲出される仕組みになっている。
図２（ｂ）において、符号１２は蛇腹であり、突起６の下部及び中栓１０に着設されている。このため、突起６は蛇腹１２の伸縮作用によって上下動可能となっている。また、突起６は押し下げられていない場合には突起５よりも高さが高くなるように具備されているが、押し下げられた場合には蛇腹１２の伸縮作用によって突起６が埋没し、突起５と高さが略同一になるようになっている。さらに、突起６の周りには突起６を囲うように液孔９が設けられているため、突起６を押し下げることにより液孔９から薬液が滲出され、突起５，６に密着したスポンジ４ａに薬液が滲み込む仕組みになっている。
【００２０】虫刺され等によって患部にかゆみを生じた場合には、キャップ１を容器本体２から螺脱させて取り外し、容器本体２を逆さまにして薬液３をスポンジ４ａに滲出させた後、スポンジ４ａを患部にあてて薬液３を患部に塗布する。しかし、それでもさらに患部にかゆみを生じた場合には、突起５，６を患部に押し当てながら容器本体２を適宜擦り動かすことによって、掻き具を出没させるという操作を要することなく、容易に患部を掻くことができるとともに、突起５，６と患部の間にスポンジ４ａを介することによって、掻き心地をさらによくすることができる。さらには、薬液３を塗布しながら患部を掻けるため、万が一、突起５，６で患部を傷つけたとしても薬液３による殺菌効果によって患部の衛生状態を良好に保つことが可能となる。
【００２１】また、上部表面が平らで上下動可能な突起６と、突起６よりも高さが低くて不動な突起５との二種類の突起を設けることによって、患部に傷があり、患部を掻きたくない場合には突起６の上下動で薬液３をスポンジ４ａに滲出させ、突起６の平らな部分で薬液３を患部に塗布することができ、患部を傷つけずに薬液３を塗布することが可能となる。
【００２２】さらに、スポンジ４ａを突起５，６に密着させることによって、突起５，６の形状がそのまま患部にあたるものの、スポンジ４ａが突起５，６を覆っているため、ソフトな肌触りがあるとともに、突起５，６によるマッサージ効果を高めるという効果を生じる。
【００２３】次に、図３を参照しながら本発明の第１の実施の形態に係る実施例２について説明する。図３（ａ）は本発明の第１の実施の形態に係る実施例２の薬剤塗布容器の中栓部の上面の平面図であり、図３（ｂ）は本発明の第１の実施の形態に係る実施例２の薬剤塗布容器の塗布部分の垂直縦断面図である。図３（ａ）及び（ｂ）において、図１、図２（ａ）及び（ｂ）に示された部分と同一部分については同一符号を付し、その構成についての説明は省略する。
【００２４】図１及び図２を用いて説明した本発明の第１の実施の形態に係る実施例１の薬剤塗布容器では、中栓上部表面に二種類の突起５，６が設けられ、かつ、液孔９が突起６の周りに設けられ、突起６の上下動によって薬液が滲出していたが、図３（ａ）及び（ｂ）に示した本発明の第１の実施の形態に係る実施例２では中栓１１ｂ上部表面に不動の一種類の突起１３と液孔１４が設けられており、液孔１４から薬液が滲出するようになっている。
また、図３（ｂ）に示されるとおり、複数の半円柱状の突起１３を並列配置することによって中栓１１ｂ上部表面に波形を形成しており、本発明の第１の実施の形態に係る実施例１と同様に、スポンジ４ｂが突起１３に密着している。このため、本発明の第１の実施の形態に係る実施例１において、患部を傷つけずに突起５よりも高さの高い突起６の平らな部分で薬液３を塗布することができるという効果以外の効果と同様の効果を与えることができる。また、突起１３が波形を構成しているため、実施例１があらゆる方向へ同等な掻き具合を実現可能であるのに対して、実施例２では、波形方向と平行な方向へは弱い掻き具合を、垂直の方向へは強い掻き具合を実現する、すなわち掻く方向によって掻く強さを調節することが可能である。
【００２５】さらに、図４を用いて本発明の第２の実施の形態に係る薬剤塗布容器について説明する。（特に、請求項１又は請求項２に対応）
図４（ａ）は本発明の第２の実施の形態に係る薬剤塗布容器の塗布部分の垂直縦断面図であり、図４（ｂ）は本発明の第３の実施の形態に係る薬剤塗布容器の塗布部分の垂直縦断面図である。図４（ａ）及び（ｂ）において、図１乃至図３に示された部分と同一部分については同一符号を付し、その構成についての説明は省略する。
【００２６】図４（ａ）及び（ｂ）において、符号４ｃ，４ｄはスポンジであり、図１乃至図３のスポンジと異なり、突起に密着しないように平らに突起５，６，１３及び液孔９，１４、中栓１１ａ，１１ｂを被覆している。このため、突起５，６，１３に密着させないようにスポンジ４ｃ，４ｄで中栓部１１ａ，１１ｂを被覆することによって、突起５，６の形状がそのまま患部にあたらないようにし、図１乃至図３のようにスポンジが突起に密着しているときよりも患部への衝撃を減少させることができるとともに、ほどよい掻き心地を生じさせることができる。
【００２７】
【発明の効果】
以上説明したように、本発明の請求項１乃至請求項３に記載の薬剤塗布容器においては、容器本体の開口部を閉塞させる中栓部の上部表面に複数の突起と少なくとも一の液孔とを設け、さらに、中栓部を塗布部で被覆することによって、掻き具を出没させるという操作を行うことなく、患部に薬液を塗布しながら容易に患部を掻くことができるとともに、万が一、突起で患部に傷をつけたとしても、薬液の殺菌効果によって患部の衛生を保つことが可能となる。
さらに、突起を塗布部で覆うことによって突起が患部に直接触れないので、突起による衝撃を和らげて掻き心地をさらによくすることができる。
【００２８】特に、本発明の請求項２に薬剤塗布容器においては、容器本体の開口部を閉塞させる中栓部の上表面に上下動可能に平上面を備えて設けられる第一の突起と、第一の突起よりも低く具備される複数の第二の突起と、少なくとも一の液孔とを設け、さらに、中栓部を塗布部で被覆することによって、請求項１の薬剤塗布容器の効果と同様の効果が得られるとともに、第一の突起の下部に弾性部を着設することによって、第一の突起の上下動を可能にし、患部に傷があり、患部を掻きたくない場合には第一の突起の平上面を用いて薬液を患部に塗布することができ、患部を傷つけずに薬液を塗布することが可能となる。また、患部を掻きたい場合には、第一の突起を押し下げて第二の突起を用いて患部を掻くことも可能である。
【００２９】最後に、本発明の請求項３に記載の薬剤塗布容器においては、請求項１の薬剤塗布容器の効果に加えて、塗布部が中栓部の上表面に具備される突起の形状と略同一の突起形状を備え密着して被覆することによって、突起の形状がそのまま患部にあたるものの、患部にソフトな肌触りを与えるとともに、突起によるマッサージ効果を高めるという効果を生じる。
【図面の簡単な説明】
【図１】本発明の第１の実施の形態に係る実施例１の薬剤塗布容器の概念図である。
【図２】本発明の第１の実施の形態に係る実施例１の薬剤塗布容器の（ａ）は中栓部の上面の平面図であり、（ｂ）は塗布部分の垂直縦断面図である。
【図３】本発明の第１の実施の形態に係る実施例２の薬剤塗布容器の（ａ）は中栓部の上面の平面図であり、（ｂ）は塗布部分の垂直縦断面図である。
【図４】（ａ）は本発明の第２の実施の形態に係る薬剤塗布容器の塗布部分の垂直縦断面図であり、（ｂ）は本発明の第３の実施の形態に係る薬剤塗布容器の塗布部分の垂直縦断面図である。
【図５】従来技術に係る掻き具付き塗布容器の概念図である。
【符号の説明】
１…キャップ　２…容器本体　３…薬液　４ａ，４ｂ，４ｃ，４ｄ…スポンジ５…突起　６…突起　７…口部　８…頸部　９…液孔　１０…中栓　１１ａ，１１ｂ…中栓　１２…蛇腹　１３…突起　１４…液孔　１５…キャップ　１６…容器本体　１７…スポンジ　１８…口部　１９…掻き爪　２０…掻き具　２１…ローレット　２２…頸部
【図１】
2004075165.tif 000003
【図２】
2004075165.tif 000004
【図３】
2004075165.tif 000005
【図４】
2004075165.tif 000006
【図５】
2004075165.tif 000007
【手続補正書】
【提出日】平成15年2月14日(2003.2.14)
【手続補正１】
【補正対象書類名】明細書
【補正対象項目名】特許請求の範囲
【補正方法】変更
【補正の内容】
【特許請求の範囲】
【請求項１】
患部に薬剤を塗布するときに使用する薬剤塗布容器において、塗布液を収容しその上部に開口部を備えた容器本体と、この容器本体の開口部を閉塞させる略円筒形状の中栓部と、この中栓部の上表面に設けられた少なくとも１の液孔と、この液孔より一の端部を露出させ上下動可能に平上面を備えて設けられる第一の突起と、この第一の突起の下部に蛇腹形状を備えて着設され前記略円筒形状の中栓部内に収納される弾性部と、前記中栓部の上表面に前記第一の突起よりも低く具備される複数の第二の突起と、前記中栓部を被覆する塗布部と、この塗布部を覆い前記容器本体の頸部に取着される蓋部材とを有することを特徴とする薬剤塗布容器。
【請求項２】
前記塗布部は、前記中栓部の上表面に具備される突起の形状と略同一の突起形状を備え密着して被覆することを特徴とする請求項１記載の薬剤塗布容器。
【手続補正２】
【補正対象書類名】明細書
【補正対象項目名】００１０
【補正方法】変更
【補正の内容】
【００１０】
【課題を解決するための手段】
上記目的を達成するため、請求項１記載の発明である薬剤塗布容器は、患部に薬剤を塗布するときに使用する薬剤塗布容器において、塗布液を収容しその上部に開口部を備えた容器本体と、この容器本体の開口部を閉塞させる略円筒形状の中栓部と、この中栓部の上表面に設けられた少なくとも１の液孔と、この液孔より一の端部を露出させ上下動可能に平上面を備えて設けられる第一の突起と、この第一の突起の下部に蛇腹形状を備えて着設され略円筒形状の中栓部内に収納される弾性部と、中栓部の上表面に第一の突起よりも低く具備される複数の第二の突起と、中栓部を被覆する塗布部と、この塗布部を覆い容器本体の頸部に取着される蓋部材とを有するものである。


【手続補正３】
【補正対象書類名】明細書
【補正対象項目名】００１１
【補正方法】変更
【補正の内容】
【００１１】上記構成の薬剤塗布容器においては、患部にかゆみが生じた際に塗布部によって患部に薬剤を塗布しながら中栓に設けられた複数の突起で患部を掻くことができるという作用を有する。また、複数の突起は塗布部で被覆されているので、患部への衝撃を和らげる作用を有している。
また、上記構成の薬剤塗布容器においては、患部を掻かずに薬剤の塗布のみを行う場合には、中栓部の第一の突起を患部に当てて薬剤を塗布し、患部にかゆみが生じ患部を掻く場合には、第一の突起を弾性部を介して押し下げて患部に薬剤を塗布しながら、第二の突起が患部に当接されるようにして第一の突起と第二の突起で患部を掻くことができるという作用を有する。本発明においても、第一及び第二の突起は塗布部で被覆されているため、患部への衝撃を和らげる作用を有している。
【手続補正４】
【補正対象書類名】明細書
【補正対象項目名】００１２
【補正方法】変更
【補正の内容】
【００１２】また、請求項２に記載の発明である薬剤塗布容器は、塗布部が中栓部の上表面に具備される突起の形状と略同一の突起形状を備え密着して被覆するものである。
【手続補正５】
【補正対象書類名】明細書
【補正対象項目名】００１３
【補正方法】変更
【補正の内容】
【００１３】上記構成の薬剤塗布容器においては、請求項１に記載の発明の作用に加えて、塗布部を中栓部の上表面に具備される突起に密着させることによって、塗布部による被覆がない場合よりも柔らかでありながら、塗布部が突起に密着していない場合よりも剛性が高いので、突起によって患部に心地よい刺激を与えマッサージ効果を高めるという作用を有する。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００２７
【補正方法】変更
【補正の内容】
【００２７】
【発明の効果】
以上説明したように、本発明の請求項１及び請求項２に記載の薬剤塗布容器においては、容器本体の開口部を閉塞させる中栓部の上部表面に複数の突起と少なくとも一の液孔とを設け、さらに、中栓部を塗布部で被覆することによって、掻き具を出没させるという操作を行うことなく、患部に薬液を塗布しながら容易に患部を掻くことができるとともに、万が一、突起で患部に傷をつけたとしても、薬液の殺菌効果によって患部の衛生を保つことが可能となる。
さらに、突起を塗布部で覆うことによって突起が患部に直接触れないので、突起による衝撃を和らげて掻き心地をさらによくすることができる。


【手続補正９】
【補正対象書類名】明細書
【補正対象項目名】００２８
【補正方法】変更
【補正の内容】
【００２８】また、本発明の請求項１に記載の薬剤塗布容器においては、第一の突起の下部に弾性部を着設することによって、第一の突起の上下動を可能にし、患部に傷があり、患部を掻きたくない場合には第一の突起の平上面を用いて薬液を患部に塗布することができ、患部を傷つけずに薬液を塗布することが可能となる。また、患部を掻きたい場合には、第一の突起を押し下げて第二の突起を用いて患部を掻くことも可能である。


【手続補正１０】
【補正対象書類名】明細書
【補正対象項目名】００２９
【補正方法】変更
【補正の内容】
【００２９】さらに、本発明の請求項２に記載の薬剤塗布容器においては、請求項１の薬剤塗布容器の効果に加えて、塗布部が中栓部の上表面に具備される突起の形状と略同一の突起形状を備え密着して被覆することによって、突起の形状がそのまま患部にあたるものの、患部にソフトな肌触りを与えるとともに、突起によるマッサージ効果を高めるという効果を生じる。